(57)【特許請求の範囲】
【請求項１】
原稿を走査して画像処理パラメータを取得するプレスキャンと原稿を走査してその画像データを取得する原稿読取りとを行なう原稿走査部と、この原稿走査部を制御する制御部と、原稿の走査開始の指示を入力する操作入力部とを備えた画像読取装置において、
前記制御部は、前記原稿走査部がプレスキャンを行っている間に前記操作入力部による走査開始の指示がされた場合には、プレスキャンを中断し、原稿読取りを開始するように制御することを特徴とする画像読取装置。
【請求項２】
前記制御部は、前記原稿走査部がプレスキャンを行っている間に前記操作入力部による走査開始の指示がされた場合には、その時点までに走査を終了したライン数が、プレスキャンのために定められている一定割合を越えているか否かを判断し、前記一定割合を越えている場合には、前記時点までのプレスキャンにより取得する画像処理パラメータに従って原稿読取りを行い、前記割合を越えていない場合には、プレスキャンを中断し、原稿読取りを行うように制御することを特徴とする請求項１記載の画像読取装置。
【発明の詳細な説明】
【０００１】
【発明の属する技術分野】
本発明は、例えば、コピー機、ファクシミリ装置、又はイメージスキャナ等において原稿の画像を読み取る画像読取装置に関する。
【０００２】
【従来の技術】
従来より、原稿を走査してその画像データを取得する際に、まず、原稿を１回走査し、そこで得た画像データから原稿サイズ、画像の濃淡のピーク値、像域判定結果等の画像処理のためのパラメータを取得するプレスキャンを行なってから、再度原稿を走査してその画像データを取得する画像読取装置が知られている。このようなプレスキャンを行なうことにより、原稿全体における画像の特徴に基づいて最適な画像処理パラメータを決定することができるので、画像データの画質を向上させることができるという利点がある。
【０００３】
しかしながら、このような従来の画像読取装置は、プレスキャン時と原稿読取り時の合計２回原稿を走査するために、当然ながら原稿の画像データを取得するための時間が長くかかるという問題があった。一方、プレスキャンを行なわない場合には、原稿を走査する回数が１回で済むために原稿の画像データを取得するための時間が短くなるが、原稿を走査しながら画像処理パラメータを取得していくこととなるため、原稿の画像の状態（例えば、副走査方向、すなわち走査キャリッジの動作方向に原稿の地色が大きく変化する状態等）によっては適切な画像処理を行なうことができない場合があるという問題があった。
【０００４】
そこで、プレスキャンを行なうか否かを使用者が選択することができるようにするのが好ましいが、従来の装置では、そのような選択をすることができないという問題があった。また、このような問題を解決するために、別途プレスキャンの設定用の操作キーを設け、又は他の操作に使用するための操作キーをモード切換え等によりプレスキャンの設定用に共用し、それらの特別の操作キーを使用者が操作することによりプレスキャンを行なうか否かの設定を行なうようにすることも考えられるが、操作が煩雑になってしまうという問題がある。また、プレスキャンを行なうように設定されている場合において、プレスキャンを行なっている途中で使用者がプレスキャンを中止して即時に原稿読取りを行ないたいと考えた際に、それを中止する手段がなく、使用者はプレスキャンが終了するまで待つ必要があるという問題もあった。
【０００５】
本発明は、上記課題に鑑みてなされたものであり、プレスキャンを行っている途中であっても使用者が即時にプレスキャンを中止して原稿読取りを行うことができる画像読取装置を提供することを技術課題とするものである。
【０００６】
上記技術課題を解決するための具体的手段は、次のようなものである。すなわち、請求項１に記載する画像読取装置は、原稿を走査して画像処理パラメータを取得するプレスキャンと原稿を走査してその画像データを取得する原稿読取りとを行なう原稿走査部と、この原稿走査部を制御する制御部と、原稿の走査開始の指示を入力する操作入力部とを備えた画像読取装置において、前記制御部は、前記原稿走査部がプレスキャンを行っている間に前記操作入力部による走査開始の指示がされた場合には、プレスキャンを中断し、原稿読取りを開始するように制御することを特徴とするものである。
【０００７】
請求項２に記載する画像読取装置は、請求項１に記載の画像読取装置において、前記制御部は、前記原稿走査部がプレスキャンを行っている間に前記操作入力部による走査開始の指示がされた場合には、その時点までに走査を終了したライン数が、プレスキャンのために定められている一定割合を越えているか否かを判断し、前記一定割合を越えている場合には、前記時点までのプレスキャンにより取得する画像処理パラメータに従って原稿読取りを行い、前記割合を越えていない場合には、プレスキャンを中断し、原稿読取りを行うように制御することを特徴とするものである。
【０００８】
【発明の実施の形態】
以下、本発明に係る画像読取装置をコピー・ファクシミリ複合機により具体化した場合の実施形態について図面に基づいて説明する。図１は、本実施形態に係るコピー・ファクシミリ複合機１の構成を示すブロック図である。この図に示すように、本実施形態に係るコピー・ファクシミリ複合機１は、本発明に係る画像読取装置を構成するものとして、原稿を走査して画像処理パラメータを取得するプレスキャンと原稿を走査してその画像データを取得する原稿読取りとを行なう原稿走査部２と、この原稿走査部２を制御する制御部３と、原稿の走査開始の指示を入力する操作入力部４とを備えている。
【０００９】
原稿走査部２は、原稿読取り時に原稿を走査してその画像データを取得するとともにプレスキャン時に画像処理パラメータの基礎となるデータを取得するＣＣＤ（電荷結合素子）等のイメージセンサ５と、このイメージセンサ５により走査した原稿の多値の画像データを記憶する走査画像メモリ６と、走査した原稿の画像データについての画像処理パラメータを記憶するパラメータメモリ７と、イメージセンサ５により取得した画像データ及び画像処理パラメータの基礎となるデータを処理して走査画像メモリ６及びパラメータメモリ７に記憶させるとともに、走査画像メモリ６内に記憶された多値の画像データを読み出して二値化し、後述のバス１５に出力する画像処理回路部８と、原稿の読取面からイメージセンサ５までの光学系を形成する走査キャリッジ９を動作させるモータ１０と、イメージセンサ５による走査のために原稿の読取面に照射する光の光源１１と、走査キャリッジ９がホーム位置にあるか否かを検出するホーム位置センサ１２と、走査する原稿のサイズを検出する原稿サイズ検出センサ１３と、モータ１０及び光源１１の動作制御を行なう機構制御部１４とを備えている。ここで、原稿サイズ検出センサ１３は、走査する原稿が載置されるフラットベッドスキャナの原稿載置板等に沿って所定位置に配置されるセンサであり、Ａ４、Ｂ５等の定型サイズの原稿サイズを検出することができる。
【００１０】
プレスキャン時にイメージセンサ５により取得された画像処理パラメータの基礎となるデータは、プレスキャンにより得られた原稿の画像データそのものであり、この画像データを画像処理回路部８において一定の分析処理をすることにより、画像処理パラメータを得る。この画像処理回路部８において取得する画像処理パラメータとしては、具体的には、原稿サイズ、画像データの濃淡のピーク値、画像域の位置及び範囲、像域判定結果等が該当する。ここで、原稿サイズとは、プレスキャンにより取得した画像データから原稿の端縁の位置を検出することにより得られる実際の原稿サイズであって、例えば、新聞等の切り抜き等の不定型の原稿サイズも含まれる。画像データの濃淡のピーク値とは、取得した画像データの各画素の濃度値の最大値と最小値のことである。このような各画素の濃度値は例えば２５６階調に分けられた濃淡の数値情報等で表される。画像域とは、原稿全体の中における文字、図形、写真等の画像が現れている領域のことである。像域判定結果とは、プレスキャンにより取得した画像データを多数の領域に分割し、各領域内の画素の濃度値の分布を分析することにより、各領域内における画像の文字、写真、又は網点等の種別を判定した結果である。なお、ここで得られた画像処理パラメータは、パラメータメモリ７に記憶される。
【００１１】
そして、原稿走査部２は、プレスキャンにより取得した画像処理パラメータに従って原稿読取りを行なうことにより、原稿画像の全体の特徴に合致する最適な画像処理を施した画像データを取得することができる。すなわち、原稿を走査する際には、画像処理パラメータの中の原稿サイズや画像域の位置及び範囲等に従って走査キャリッジ９の動作範囲を決定することにより、走査キャリッジ９の動作範囲を最小限に抑えて走査に要する時間を短縮することができるとともに、取得する画像データのデータ量を少なくすることができる。なお、走査キャリッジ９の動作範囲は、原稿サイズ検出センサ１３の検出値によっても決定される。すなわち、走査キャリッジ９の動作範囲の決定は、原稿サイズが定型サイズの場合には原稿サイズ検出センサ１３の検出値に従って行ない、原稿サイズが不定型サイズの場合にはプレスキャンにより得られた画像処理パラメータに含まれる原稿サイズや画像域の位置及び範囲等に従って行なう。
【００１２】
また、原稿を走査した後は、画像処理パラメータの中の画像データの濃淡のピーク値や像域判定結果等に基づいて濃度補正のレベルや画像処理方式の選択（二値化処理、又はディザ処理もしくは誤差拡散処理等の擬似中間処理）等を行い、画像処理回路部８において取得した画像データの画像処理を行なうことにより再現性の高い画像データを取得することができる。
【００１３】
制御部３は、コピー・ファクシミリ複合機１の各部とバス１５により接続されており、原稿走査部２を含むコピー・ファクシミリ複合機１の各部の動作制御を行なう部分であって、データの演算及び加工や各部への命令信号の出力等を行なうＣＰＵ（中央処理装置）１６と、このＣＰＵ１６の動作に必要な制御プログラム等が記憶されたＲＯＭ１７と、ＣＰＵ１６の動作や処理に伴って得られたデータ等を一時的に記憶するためのＲＡＭ１８と、所定の経過時間を計測するためのタイマー１９とを有して構成されている。この制御部３の制御による原稿走査部２の動作については、後に詳述する。
【００１４】
操作入力部４は、使用者が操作してコピー・ファクシミリ複合機１に対して各種動作の指示入力を行なうための部分であり、原稿の走査開始の指示を入力するスタートキー２０を備えている。なお、図示していないが、操作入力部４は、スタートキー２０以外にも、テンキーやファンクションキー等の指示入力に必要な各種入力キーを備えている。そして、使用者がスタートキー２０を操作することにより、制御部３に対して走査開始を指示する信号が出力される。
【００１５】
また、このコピー・ファクシミリ複合機１は、画像データのファクシミリ送受信のための通信制御手段であるモデム２１及び網制御装置（ＮＣＵ）２２と、ファクシミリ送受信等のために原稿走査部２において取得した画像データの符号化及び復号を行なうコーデック（ＣＯＤＥＣ）２３と、このコーデック２３において符号化された画像データやファクシミリ受信した画像データを記憶しておく画像メモリ２４と、液晶表示パネルやＬＥＤ等を有し、制御部３からの信号及びデータに従って各種情報を表示する表示部２５と、画像メモリ２４に記憶された画像データを記録紙に記録するプリンタ２６とを備えている。
【００１６】
次に、本実施形態に係るコピー・ファクシミリ複合機１において原稿の画像を走査する際の動作について、図２、図３及び図４に示すフローチャートに基づいて説明する。なお、各図における丸で囲まれたＡ、Ｂ、Ｃ、Ｄの符号は、それぞれ別の図における同符号と連続するものとする。ここでは、操作入力部４のスタートキー２０が所定時間内に２回連続してオンされた場合にはプレスキャンを行なった後で原稿読取りを行ない、スタートキー２０が１回のみオンされた場合にはプレスキャンを行わずに原稿読取りを行なうように動作させるものとする。なお、これらのフローチャートに示す各部の動作は、ＲＯＭ１７に記憶されている制御プログラムに基づいてＣＰＵ１６の制御の下に行なわれる。
【００１７】
原稿の画像を走査する際には、まず、スタートキー２０がオンされたか否かについて判断する（Ｓ１）。スタートキー２０のオンは、操作入力部４のスタートキー２０が押し下げられたか否かにより判断される。スタートキー２０がオンされない場合には（Ｓ１：ＮＯ）、そのまま待機する。スタートキー２０がオンされた場合には（Ｓ１：ＹＥＳ）、次に、スタートキー２０がオフされたか否かについて判断する（Ｓ２）。スタートキー２０のオフは、押し下げられたスタートキー２０が離されたか否かにより判断される。スタートキー２０がオフされない場合には（Ｓ２：ＮＯ）、スタートキー２０が押し下げられたまま離されていないと判断できるので、そのまま待機する。スタートキー２０がオフされた場合には（Ｓ２：ＹＥＳ）、タイマー１９の動作を開始させる（Ｓ３）。タイマー１９の動作時間は、使用者がスタートキー２０をオフしてからすぐにオンするまでの間に一般的に要する時間とし、例えば１〜２秒程度とする。
【００１８】
次に、タイマー１９の動作中に再度スタートキー２０がオンされたか否かについて判断する。すなわち、まずスタートキー２０がオンされたか否かを判断し（Ｓ４）、スタートキー２０がオンされない場合には（Ｓ４：ＮＯ）、タイマー１９の動作が終了したか否かを判断する（Ｓ５）。タイマー１９の動作が終了していない場合には（Ｓ５：ＮＯ）、タイマー１９の動作が終了するまで引き続きスタートキー２０がオンされたか否かを監視する。
【００１９】
そして、スタートキー２０がオンされないままにタイマー１９の動作が終了した場合には（Ｓ５：ＹＥＳ）、結局スタートキー２０は１回のみオンされたと判断することができるので、処理はＳ６へ進み、原稿のプレスキャンを行なわずに通常の原稿読取りが行なわれる。すなわち、まず、光源１１を点灯するとともに、モータ１０を駆動して走査キャリッジ９の動作を開始させる（Ｓ６）。次に、原稿を１ライン分走査してそのラインの画像データを取得する（Ｓ７）。ここで、１ラインとは、１本の走査線のことである。そして、取得した画像データを画像処理回路部８において分析処理することにより、そのラインの画像データについての画像処理パラメータを取得する（Ｓ８）。ここで取得された画像処理パラメータは、パラメータメモリ７に記憶される。そして、取得した画像処理パラメータに従ってそのラインの画像データを画像処理し、走査画像メモリ６に記憶する（Ｓ９）。このとき使用する画像処理パラメータは、画像処理すべきラインの画像データについて取得された画像処理パラメータのみとしてもよいし、それ以前の１又は２以上のラインの画像データについて取得された画像処理パラメータを合せて適用するようにしてもよい。なお、図示しないが、これらの処理と並行して、画像処理回路部８は、走査画像メモリ６に記憶された多値の画像データを読み出して二値化し、コーデック２３に出力する。そして、二値化された画像データはコーデック２３において符号化され、画像メモリ２４に記憶される。
【００２０】
次に、原稿の走査が終了したか否かを判断する（Ｓ１０）。原稿の走査が終了したか否かの判断は、原稿サイズに合せて決定される所定のライン数の走査が終了したか否かにより判断する。すなわち、この場合のようにプレスキャンを行なわずに原稿読取りを行なう場合には、原稿サイズは、原稿サイズ検出センサ１３により原稿サイズが検出された場合には原稿サイズ検出センサ１３の検出値に従って決定する。そして、原稿サイズ検出センサ１３により原稿サイズが検出できない場合には、規定の原稿サイズとして判定した旨、及びその規定の原稿サイズを変更する場合には原稿サイズを入力すべき旨のメッセージを表示部２５に表示し、操作入力部４からの原稿サイズの入力がなければそのまま規定サイズとして決定し、原稿サイズの入力があればその入力値に従って決定する。なお、原稿サイズ検出センサ１３により検出された原稿サイズ、及び操作入力部４から入力される原稿サイズはいずれもＡ４、Ｂ５等の定型サイズである。そこで、決定された原稿サイズから走査キャリッジ９を動作させて走査を行なうライン数を算出して決定する。
【００２１】
原稿の走査が終了していない場合には（Ｓ１０：ＮＯ）、処理はＳ７へ戻り、原稿の次のラインを走査してその画像データを取得する。そして、このＳ７からＳ９までの処理を原稿サイズから決定された所定のライン数の走査が終了するまで、すなわち、決定されたライン数の最終のラインの走査が終了するまで繰り返して行なう。そして、原稿の走査が終了した場合には（Ｓ１０：ＹＥＳ）、光源１１を消灯するとともに、走査キャリッジ９をホーム位置まで戻す（Ｓ１１）。走査キャリッジ９がホーム位置に到達したことは、ホーム位置センサ１２により確認することができる。以上により、プレスキャンを行なわない通常の原稿読取りは終了する。
【００２２】
一方、タイマー１９の動作が終了するまでにスタートキー２０がオンされた場合には（Ｓ４：ＹＥＳ）、スタートキー２０が所定時間内に連続して２回オンされたと判断することができるので、処理はＳ１２へ進み、原稿のプレスキャンが行なわれる。このように、所定時間内に連続してスタートキー２０が操作されたか否かによりプレスキャンを行なうか否かを選択できるようにしたことにより、使用者がプレスキャンを行なうか否かの設定のために操作キーを操作してモード切換えを行なう等の煩雑な操作をする必要がない。この際、まず、光源１１を点灯するとともに、モータ１０を駆動して走査キャリッジ９の動作を開始させる（Ｓ１２）。次に、原稿を１ライン分走査してそのラインの画像データを取得する（Ｓ１３）。プレスキャンでは、画像処理パラメータを得ることができる程度の原稿の概略の画像データを取得すれば良いので、プレスキャンに要する時間を短くするために走査の解像度を下げると好適である。例えば、原稿読取りにおける解像度の２分の１から３分の１とすることができる。そして、取得した画像データを画像処理回路部８において分析処理することにより、そのラインの画像データからその原稿全体の画像データについての画像処理パラメータを取得するために必要なデータを抽出する（Ｓ１４）。このようなデータとしては、走査したラインにおける画像データの濃度値の分布等が該当する。ここで抽出されたデータは、プレスキャンの終了後に画像処理パラメータを取得する際に用いるため、一旦パラメータメモリ７に記憶される。
【００２３】
次に、プレスキャン中にスタートキー２０がオンされたか否かについて判断する。すなわち、まずスタートキー２０がオンされたか否かについて判断し（Ｓ１５）、スタートキー２０がオンされない場合には（Ｓ１５：ＮＯ）、次にプレスキャンが終了したか否かを判断する（Ｓ１６）。プレスキャンが終了したか否かの判断は、プレスキャンのために定められている所定のライン数の走査が終了したか否かにより判断する。プレスキャンのために定められているライン数は、原稿走査部２において走査可能な最大の大きさの原稿サイズに合せて決定される。プレスキャンが終了していない場合には（Ｓ１６：ＮＯ）、処理はＳ１３へ戻り、原稿の次のラインを走査してその画像データを取得する。そして、このＳ１３からＳ１５までの処理を所定のライン数の走査が終了するまで、すなわち、所定のライン数の最終のラインの走査が終了するまで繰り返して行なう。
【００２４】
そして、スタートキー２０がオンされることなく（Ｓ１５：ＮＯ）、プレスキャンが終了した場合には（Ｓ１６：ＹＥＳ）、プレスキャンで取得した画像データから抽出してパラメータメモリ７に記憶されたデータに基づいて、画像処理回路部８において分析処理することにより、原稿全体の画像データについての画像処理パラメータを取得する（Ｓ１７）。この画像処理パラメータとしては、原稿サイズ、画像データの濃淡のピーク値、画像域の位置及び範囲、像域判定結果等が該当する。ここで取得された画像処理パラメータは、パラメータメモリ７に記憶される。また、光源１１を消灯するとともに、走査キャリッジ９をホーム位置まで戻す（Ｓ１８）。次に、走査キャリッジ９がホーム位置に到達したか否かについて判断する（Ｓ１９）。走査キャリッジ９がホーム位置に到達していない場合には（Ｓ１９：ＮＯ）、到達するまでそのまま待機する。走査キャリッジ９がホーム位置に到達した場合には（Ｓ１９：ＹＥＳ）、処理はＳ２０へ進み、原稿読取りを開始する。
【００２５】
すなわち、まず、光源１１を点灯するとともに、モータ１０を駆動して走査キャリッジ９の動作を開始させる（Ｓ２０）。次に、原稿を１ライン分走査してそのラインの画像データを取得する（Ｓ２１）。そして、取得した画像データは、プレスキャンで取得された画像処理パラメータに従って画像処理回路部８において画像処理し、走査画像メモリ６に記憶する（Ｓ２２）。これにより、原稿画像の全体の特徴に合致した最適な画像データを取得することができる。なお、この場合も図示しないが、画像処理回路部８は、Ｓ２２の処理と並行して、走査画像メモリ６に記憶された多値の画像データを読み出して二値化し、コーデック２３に出力する。そして、二値化された画像データはコーデック２３において符号化され、画像メモリ２４に記憶される。次に、原稿の走査が終了したか否かを判断する（Ｓ２３）。原稿の走査が終了したか否かの判断は、プレスキャンにより取得した画像処理パラメータに従って決定される所定のライン数の走査が終了したか否かにより判断する。原稿の走査を行なう所定のライン数は、画像処理パラメータの中の原稿サイズや画像域の位置及び範囲等から走査キャリッジ９を動作させて原稿の走査を行なうことが必要な範囲を決定し、その範囲に合せて走査を行なうライン数を算出して決定する。このようにすることにより、原稿サイズが不定型サイズの場合であっても、最小限の走査により画像データを取得することができる。
【００２６】
原稿の走査が終了していない場合には（Ｓ２３：ＮＯ）、処理はＳ２１へ戻り、原稿の次のラインを走査してその画像データを取得する。そして、このＳ２１及びＳ２２の処理を所定のライン数の走査が終了するまで、すなわち、決定されたライン数の最終のラインの走査が終了するまで繰り返して行なう。そして、原稿の走査が終了した場合には（Ｓ２３：ＹＥＳ）、光源１１を消灯するとともに、走査キャリッジ９をホーム位置まで戻す（Ｓ２４）。これにより、プレスキャン後の原稿読取りは終了する。
【００２７】
一方、プレスキャン中にスタートキー２０がオンされた場合には（Ｓ１５：ＹＥＳ）、次に、その時点までに走査を終了したライン数が、プレスキャンのために定められている所定のライン数に対して一定割合を越えているか否かについて判断する（Ｓ２５）。この割合は、原稿画像の全体をプレスキャンして得られる画像処理パラメータとほぼ同程度の正確性を有する画像処理パラメータを得ることができる程度とし、使用者が任意に設定することができる。なお、一般的な原稿の場合であれば、原稿の半分、すなわち５０％以上をプレスキャンすれば残りはほぼ同じ傾向の画像データであるとして画像処理をすることができる。したがって、その場合には、前記割合は５０％とする。
【００２８】
走査を終了したライン数が一定割合を越えている場合には（Ｓ２５：ＹＥＳ）、処理はＳ１７へ進み、それまでのプレスキャンで取得した画像データから抽出してパラメータメモリ７に記憶されたデータに基づいて、画像処理回路部８において分析処理することにより、原稿の画像データについての画像処理パラメータを取得し（Ｓ１７）、その画像処理パラメータに従って原稿読取りを行なう（Ｓ１８〜Ｓ２４）。一方、走査を終了したライン数が一定割合を越えていない場合には（Ｓ２５：ＮＯ）、プレスキャンを中断して光源１１を消灯するとともに、走査キャリッジ９をホーム位置まで戻す（Ｓ２６）。そして、走査キャリッジ９がホーム位置に到達したか否かについて判断し（Ｓ２７）、走査キャリッジ９がホーム位置に到達していない場合には（Ｓ２７：ＮＯ）、到達するまでそのまま待機し、走査キャリッジ９がホーム位置に到達した場合には（Ｓ２７：ＹＥＳ）、処理はＳ６へ進み、原稿のプレスキャンを行なわない場合と同様の通常の原稿読取りが行なわれる。このようにすることにより、プレスキャンを行なっている途中で使用者がプレスキャンを中止してすぐに原稿読取りを行ないたいと考えた際に、すぐに原稿読取りを開始することができる。
【００２９】
以上、操作入力部４のスタートキー２０が所定時間内に２回連続してオンされた場合にはプレスキャンを行なった後で原稿読取りを行ない、スタートキー２０が１回のみオンされた場合にはプレスキャンを行わずに原稿読取りを行なうように動作させる場合の動作制御について説明したが、逆に、操作入力部４のスタートキー２０が所定時間内に２回連続してオンされた場合にはプレスキャンを行わずに原稿読取りを行ない、スタートキー２０が１回のみオンされた場合にはプレスキャンを行なった後で原稿読取りを行なうように動作させることも可能である。そのような動作を行なう場合には、タイマー１９の動作が終了するまでにスタートキー２０がオンされた場合に（Ｓ４：ＹＥＳ）、処理がＳ６へ進み、スタートキー２０がオンされないままにタイマー１９の動作が終了した場合に（Ｓ５：ＹＥＳ）、処理がＳ１２へ進むように動作制御を行なう。
【００３０】
なお、本実施形態においては、コピー・ファクシミリ複合機について説明したが、イメージスキャナやデジタルコピー機等についても同様に適用することが可能である。特にイメージスキャナのようにパーソナルコンピュータ（ＰＣ）側から、プレスキャン、原稿スキャンを指示できるようにした装置の場合では、パーソナルコンピュータに戻り、そこから指示する操作が不要となり、装置側のスタートキーにて両者を指示し分けることができて便利である。
【００３２】
本発明の請求項１、及び請求項２に係る画像読取装置によれば、前記制御部は、前記原稿走査部がプレスキャンを行っている間に前記操作入力部による走査開始の指示がされた場合には、プレスキャンを中断し、原稿読取りを開始するように制御することにより、プレスキャンを行っている途中であっても使用者が即時にプレスキャンを中止して原稿読取りを行うことができる。
【図面の簡単な説明】
【図１】本発明の実施形態に係るコピー・ファクシミリ複合機の構成を示すブロック図である。
【図２】本発明の実施形態に係るコピー・ファクシミリ複合機において原稿の画像を走査する際の動作を示すフローチャートの一部である。
【図３】本発明の実施形態に係るコピー・ファクシミリ複合機において原稿の画像を走査する際の動作を示すフローチャートの一部である。
【図４】本発明の実施形態に係るコピー・ファクシミリ複合機において原稿の画像を走査する際の動作を示すフローチャートの一部である。
【符号の説明】
１  コピー・ファクシミリ複合機
２  原稿走査部
３  制御部
４  操作入力部
５  イメージセンサ
６  走査画像メモリ
７  パラメータメモリ
８  画像処理回路部
９  走査キャリッジ
１４  機構制御部
１９  タイマー
２０  スタートキー
【図１】
0004310925.tif 000002
【図２】
0004310925.tif 000003
【図３】
0004310925.tif 000004
【図４】
0004310925.tif 000005